(57)【要約】【課題】  専用の設置スペースを必要としない空気清浄装置を提供しようとする。【解決手段】  口金ピン３ａ、３ｂを有する蛍光ランプ型であって、蛍光ランプとしての管内構造を有しないダミー管構造体からなり、管状本体１の少なくとも外表面に金属イオンを含有した鉱物又はセラミックの粉末を主成分とするマイナスイオン及び遠赤外線発生膜４を被着させたものである。【選択図】図１
2005090834.tif 000002
【特許請求の範囲】
【請求項１】
口金ピンを有する蛍光ランプ型であって、蛍光ランプとしての管内構造を有しないダミー管構造体からなり、管状本体の少なくとも外表面に金属イオンを含有した鉱物又はセラミックの粉末を主成分とするマイナスイオン及び遠赤外線発生膜を被着させたことを特徴とする空気清浄装置。
【請求項２】
多灯式蛍光ランプ照明器の一灯を、前記マイナスイオン及び遠赤外線発生膜を被着させたダミー管構造体と置換したことを特徴とする請求項１に記載の空気清浄装置。
【請求項３】
前記ダミー管構造体における管状本体の一端部に少なくとも１個の吸気口を設けると共に、前記吸気口から吸入した空気を管内の他端に送り込むためのファン及びモータを内蔵し、前記管状本体の他端部に少なくとも１個の排気口を設け、前記吸気口と排気口との中間における管内空間に、空気流通可能な間隙を維持して金属イオン含有物質の挿入体を設置したことを特徴とする請求項１又は２に記載の空気清浄装置。
【請求項４】
前記モータの電源として管側壁に装着した太陽電池を用いることを特徴とする請求項３に記載の空気清浄装置。
【発明の詳細な説明】
【技術分野】
【０００１】
本発明はマイナスイオン及び遠赤外線を発生する空気清浄装置に関するものである。
【背景技術】
【０００２】
蛭石、トルマリン石、花崗岩、特殊セラミック等の金属イオン含有物質が、圧力や温度変化等を受けると空気中の水分をマイナスイオンに変えたり、遠赤外線を発生するメカニズムはよく知られており、近年、種々の形態における空気浄化装置のイオン化用素材として用いられている（例えば、特許文献１及び特許文献２参照）。
【０００３】
しかし、この種イオン化用素材を用いたもののうち、特許文献１に代表される空気清浄装置は、文字通り専用機として構成されることに伴う相当のコストと、相当の設置スペースとを必要とする。また、特許文献２に代表される健康用身の回り品においては、それを意識的に着用しなければ効果はなく、しかも顕著な即効性を期待できないがために、いずれ放置されてしまうということが多い。
【特許文献１】特開２００１−１４５６９４号公報
【特許文献２】特開２００３−４１０号公報
【発明の開示】
【発明が解決しようとする課題】
【０００４】
従って、本発明が解決しようとする第１の課題は専用の設置スペースを必要としない空気清浄装置を提供しようとするものである。
【０００５】
更に、本発明が解決しようとする第２の課題は持続的な使用が可能な空気清浄装置を提供しようとするものである。
【課題を解決するための手段】
【０００６】
請求項１に記載した本発明は、口金ピンを有する蛍光ランプ型であって、蛍光ランプとしての管内構造を有しないダミー管構造体からなり、管状本体の少なくとも外表面に金属イオンを含有した鉱物又はセラミックの粉末を主成分とするマイナスイオン及び遠赤外線発生膜を被着させてなる空気清浄装置を構成したものである。
【０００７】
請求項２に記載した本発明は、多灯式蛍光ランプ照明器の一灯を、前記マイナスイオン及び遠赤外線発生膜を被着させたダミー管構造体と置換してなる空気清浄装置を構成したものである。
【０００８】
請求項３に記載した本発明は、前記ダミー管構造体における管状本体の一端部に少なくとも１個の吸気口を設けると共に、前記吸気口から吸入した空気を管内の他端に送り込むためのファン及びモータを内蔵し、前記管状本体の他端部に少なくとも１個の排気口を設け、前記吸気口と排気口との中間における管内空間に、空気流通可能な間隙を維持して金属イオン含有物質の挿入体を設置してなる空気清浄装置を構成したものである。
【０００９】
請求項４に記載した本発明は、前記モータの電源として管側壁に装着した太陽電池を用いてなる空気清浄装置を構成したものである。
【発明の効果】
【００１０】
本発明の空気清浄装置は、蛍光ランプの一灯位置に用いることにより、特別の設置スペースを要せず、室内の人々に無意識のうちにマイナスイオンと遠赤外線による恩恵を与えることができる。特に、多灯式蛍光ランプの一灯位置を占める場合、隣接した蛍光ランプが点灯しておれば、その蛍光ランプによる熱放射及び微振動によって、空気清浄装置のマイナスイオン及び遠赤外線発生効果が助長され、更にモータ駆動方式において、太陽電池を電源とする場合には、その蛍光ランプの光を受けて相当の発電を行うことができる。
【発明を実施するための最良の形態】
【００１１】
本発明は、蛍光ランプ型において実施されることはすでに述べたとおりであり、一般的には直管形、又はサークライン形であるが、ダブルＵ形（電球形）やコンパクト形等の特殊形状を模擬してもよい。以下、直管形を中心に実施例を説明する。
【実施例１】
【００１２】
図１は、本発明装置の第１実施例の側面図であって、１は直管形蛍光ランプと同一形状とした本体管であり、適当な合成樹脂、例えばＡＢＳ樹脂や、塩化ビニール等のプラスチック製品、又はステンレス鋼やアルミニウム等の金属体から形成される。２ａ、２ｂは口金、３ａ、３ｂは口金ピンである。本体管１は図２に示すように、円形断面を有するが、装飾用又は空気清浄装置としての独自性を示すため三角形、四角形等の多角形状、楕円形状を採用してもよい。この実施例において、本体管１の外表面及び内表面には金属イオン、すなわち極性結晶体を含んだ鉱物組成物、例えば、蛭石、トルマリン石、花崗岩、特殊セラミック等を主成分として含み、バインダ及び必要な増量材等を加えたマイナスイオン及び遠赤外線発生膜（以下、「イオン発生膜」と略称する）４を被着させている。場合によっては、内外表面の一方、特に内表面への膜被着を省略することもできる。
【００１３】
上記実施例の装置を装着すべき蛍光ランプ装置の口金受け部が、一灯用又は並列点灯回路に接続されている場合、口金ピン３ａ、３ｂは単なる遊び端子として独立しておれば、この装置を当該口金受け部に装着しても、通常の蛍光ランプが装着されていない状態（抜かれた状態）として、何ら回路に影響を与えるものではない。しかし、点灯回路が例えば、ラピッドスタート直列逐次形等の直列点灯回路である場合には、本装置の口金ピン３ａ、３ｂ間に、無損失の補償インダクタンス回路を挿入しておく必要がある。
【実施例２】
【００１４】
図３は、本発明装置を電動放射式とした第２実施例の側面図であって、１’は直管形蛍光ランプと同一輪郭とした本体管であるが、第１実施例のものと同一の材料からなるが、構造的にはそれと異なった独自の特徴を有している。すなわち、本体管１’にはその一端部（例えば、図の右側）に少なくとも１個、この場合１０個程度の吸気口５を設けると共に、それらの吸気口５から吸入した空気を管内の他端に送り込むためのファン６を吸気口５群の内端位置に置き、それを回転駆動するモータ７を口金２ｂに近接した端部において内蔵している。従って、本体管の他端部には、吸気口５群に対応する少なくとも１個、この場合１０個程度の排気口８を設けたものである。モータ７に電力供給するために、本体管１’の同一端部側の外表面に、太陽電池９が好ましく用いられる。口金２ａ、２ｂ及び口金ピン３ａ、３ｂの構成は、第１実施例の場合と同様であるが、本発明装置を多灯式蛍光ランプに用いる場合、口金ピン３ａ、３ｂの太陽電池９に対する取り付け角度は、後者（９）を隣接蛍光ランプに対向する位置にもたらすように設定される。
【００１５】
本体管１’はさらに、前記吸気口５と排気口８との中間における管内空間に、空気流通可能な間隙を維持して金属イオン含有物質の挿入体１０を装備している。挿入体１０は、この場合、本体管１’の内径より小さい外径を有する同軸配置され、外表面及び内表面に金属イオン含有物質を付着させた管体からなり、吸気口５群からファン６により吸い込まれた室内空気を管体中空部に通すと共に、管体外面と本体管１’の内表面との間の管状空間に通し、その過程で空気をマイナスイオン化してから排気口８より排出することができる。挿入体１０は、図示のような管体に限らず、金属イオン含有物質を成形したコイル状や、隙間の大きいペレット群の充填相としてもよい。
【００１６】
上記第2実施例における空気流通過程、及び両実施例における本体管１、１’外表面からのマイナスイオン及び遠赤外線発生機構は、金属イオン含有物質の特徴としてよく知られているところであり、簡単には次のように考察される。
【００１７】
蛭石、トルマリン石、花崗岩、特殊セラミック等の金属イオン含有物質は、いわゆる極性結晶体であって、本来的に電気分極している。一方、太陽風として宇宙から飛来するマイナスイオン（電子）は極性結晶体のプラス電極に吸い付けられ、次々にマイナス電極に運ばれる。これにより、マイナス電極に蓄えられた電子は1個ずつはじき出され、それがプラス電極に飛んでいく。この過程において、マイナス電極が空気中の水分に触れると、その瞬間に水分中に放電され、このとき水の分子（Ｈ２Ｏ）は水素イオン（Ｈ＋）と水酸イオン（ＯＨ−）に分離する。これらイオンのうちＨ＋はマイナス電極に引きつけられて、そこから放出される電子と結合し、中和して水素原子となり、更に水素ガスとして空気中に放出される。一方、マイナスイオンの（ＯＨ−）は周囲の水分子と結合してヒドロキシルイオン（Ｈ３Ｏ２−）となり、いったん空気中に放出されると、1個ずつ絶縁体である空気によって遮断されると同時に、それぞれがマイナスの電荷をもっているがために互いに反発し、きわめて安定な状態になる。
【００１８】
上記のマイナスイオン発生効果は、結晶表面の電荷量に応じたものであり、その電荷の発生は結晶体に与えられる僅かな温度差や圧力に依存する。このような焦電効果や圧電効果をエネルギーとしてとらえると、遠赤外線であると言われている。
【００１９】
図4は、前述した第1及び第2実施例の装置を、二灯式蛍光ランプの一灯部に適用する場合の、他方の蛍光ランプ１１部における反射補強構造を示すものである。１２は本来の平板折り曲げ状の反射板であり、各灯の光を僅かに離間する方向に反射するように、水平面からそれぞれ２０度程度上向きに折り曲げられている。蛍光ランプ１１部における反射板部１２ａには、反射補強板１３が、円弧状又は放物線状の断面を有し、照明範囲を絞る代わりにその範囲内の照度を高めるように設置されている。これにより、蛍光ランプ１１部の直下所定位置の当該ランプによる照度を、反射補強板１３を設置せずに二灯点灯していた場合の照度の８０％以上、もしくは１００％を僅かに上回る程度まで高めることができる。
【００２０】
反射補強板１３は、外側に長く延び、内側（差し替え空気清浄装置に対向する側）は、大きく開放した配置となっているため、空気清浄装置本体１又は１’側にも多くの光束１４を放射する。これにより、前述した空気清浄装置のイオン発生膜４の焦電及び圧電機能の励起を助長し、第２実施例の本体管１’に設置された太陽電池９を効果的に励起するものである。太陽電池９は、コンデンサ及び充放電回路を含む電源回路と組み合わされ、隣接蛍光ランプによる強い励起時と、無点灯時の弱励起との調和をとり、モータ７を断続的又は規則的に駆動できるようになっている。なお、本体管１’上の太陽電池９に代えて、又はその電池９と併用するために、反射板１２の適当箇所に太陽電池９’を取り付け、効果的な電源回路を構成することができる。
【実施例３】
【００２１】
図５は、本発明装置をサークライン型電動放射式とした第３の実施例を示すもので、本体管１”と、その内部の挿入体１０’が一端に口金２’及び口金ピン３’を有し、他端部を欠落した円形管であり、その欠落部に実質上直管形の電動部カバー１５を設けたこと以外は、第２実施例における直管形電動放射式の場合と同様であり、同一の参照数字を付した部分は、同一要素であるため、説明を省略する。この実施例においては、ファン６による空気流に対する抵抗が若干増すこと以外、第２実施例のものと同一の作用効果を奏するするものである。
【００２２】
マイナス空気イオンが人体に好影響を与えることは広く知られており、そのメカニズムについては説明を省略する。遠赤外線もまた熱エネルギーに変換され、それに伴った効果を発揮することは明らかである。
【産業上の利用可能性】
【００２３】
本発明の空気清浄装置は、本来のマイナスイオンによる空気浄化に用いられるだけでなく、多灯式の１本を強制的に外してこれに代え、電気エネルギーの節減にも役立てることができる。
【図面の簡単な説明】
【００２４】
【図１】本発明装置の第１の実施例を示す側面図である。
【図２】図１のＡ−Ａ矢視断面図である。
【図３】本発明装置の第２の実施例を示す一部破断側面図である。
【図４】本発明装置を二灯式蛍光ランプの一灯部に適用する場合の蛍光ランプ端面及び反射板断面を示す図である。
【図５】本発明装置の第３の実施例を示す平面図である。
【符号の説明】
【００２５】
１  本体管
２、２ａ、２ｂ、  口金
３、３ａ、３ｂ、  口金ピン
４  マイナスイオン及び遠赤外線発生膜
５  吸気口
６  ファン
７  モータ
８  排気口
９  太陽電池
１０  挿入体
１１  蛍光ランプ
１２  反射板
１３  反射補強板
１４  光束
１５  電動部カバー
【図１】
2005090834.tif 000003
【図２】
2005090834.tif 000004
【図３】
2005090834.tif 000005
【図４】
2005090834.tif 000006
【図５】
2005090834.tif 000007